(57)【特許請求の範囲】
【請求項１】
イメージディスプレイであって、
ａ）基板と、
ｂ）前記基板上に形成されたアドレス可能な光放射器であって、光放射層と、前記基板上に堆積された、前記光放射層の両側の電極層とを含む前記光放射器のアレイと、
ｃ）イメージパターンで光を放射させるために前記光放射器を駆動するための駆動回路と、
ｄ）前記光放射器により放射された光を検出し、該光に応答するフィードバック信号を発生するために、前記アレイ内の前記光放射器の前記光放射層と光学的に直接結合されたフォトセンサ層と、前記基板上に堆積された、前記フォトセンサ層の両側の電極層とを含む、前記基板に形成された、一つまたは複数のフォトセンサと、
ｅ）前記駆動回路を制御するために前記フィードバック信号に応答するフィードバック制御回路と、
ｆ）前記一つまたは複数のフォトセンサに入射する周囲光を補償するための手段と、を備え、
前記一つまたは複数のフォトセンサは個別にアドレス可能であり、
前記駆動回路は前記イメージディスプレイをブランク表示にして外光電流を測定し、前記イメージディスプレイの各ブライトネスレベルｉに対して実際の電流iを測定し、所望の各ブライトネスレベルに対応する基準電流ｉに前記外光電流を加えた値から前記実際の電流ｉを差し引くことにより修正電流を計算し、測定電流をブライトネスレベルへ変換する関数Ｆを用いた下記の式に従って、前記基準電流ｉに前記修正電流を加算した合計値を前記各ブライトネスレベルｉに対応する修正したブライトネスレベルＴｉに変換する、
Ｔi＝Ｆ(基準電流i＋(基準電流i＋外光電流−実際の電流i))
ことを特徴とするイメージディスプレイ。
【請求項２】
前記光放射器によって放射された光を検出する単一のフォトセンサを有する、請求項１に記載のイメージディスプレイ。
【請求項３】
複数のフォトセンサを備え、各々が分離したグループの光放射器によって放射された光を検出するように配置されている、請求項１に記載のイメージディスプレイ。
【発明の詳細な説明】
【技術分野】
【０００１】
本発明は、ソリッドステートによるフラットパネルディスプレイデバイスに関し、より詳しくは、ディスプレイ内の各画素からの光フィードバック情報の使用により、各画素の発光を最適にする手段を備えたディスプレイデバイスに関する。
【背景技術】
【０００２】
ソリッドステートの有機光放射ダイオード(ＯＬＥＤ)イメージディスプレイデバイスは、優れたフラットパネルのデジタルディスプレイデバイスとして大きな関心事となっている。放射されたカラー光および電流から光へのエネルギー変換効率は、有機の薄膜材料の組成により決定される。更には、ＯＬＥＤディスプレイデバイスに加え、他の光デバイスの統合を支援する、透明材質でもっぱら作製できる。Ｈｕｎｇその他により１９９８年７月７日発効の米国特許５，７７６，６２３はそのようなシステムを開示している。
【０００３】
ＯＬＥＤ材料は、電磁照射にも反応し、電気回路にて適切にバイアスされたとき、周囲光に依存して電流を発生できる。例えば、Ｗｅｉその他による１９９９年７月２７日発効の米国特許５，９２９，８４５は、有機電子放射を用いた光を放射しかつ光を検出するシステムを開示している。透明有機体の放射性材料は、限られた周波数帯域の光のみ放射するが、極めて広いスペクトラムを吸収し、かつ、光の存在に光に電気的に応答できるように、他の吸収性材料がＯＬＥＤデバイス構成に追加されてもよい。シリコンフォトダイオードのごとき他のデバイスおよび材料も感光性である。
【０００４】
ＯＬＥＤデバイスの発光効率は、有機材料の不安定さにより、連続動作時に大きく低下することがしばしばある。この不安定さは、エージング、温度変化、湿度、または他の環境ストレスの結果である。発光効率は、ＯＬＥＤに流れる単位平方ｍ当たりの電流に対する、単位平方ｍ当たりのカンデラ単位の出力光の比率である。これにより、ＯＬＥＤの発光効率の低下は、同じ発光を達成するためには、ＯＬＥＤにより多くの電流を流さなければならないことを意味する。更には、ディスプレイデバイスにおける電流制御は問題があり、特に電圧制御と比較して、より多くの回路を必要とし、その結果、ディスプレイ内の電子回路のサポートがより複雑となった。
【発明の概要】
【発明が解決しようとする課題】
【０００５】
上記の問題のいくつかを克服するために、特定のディスプレイシステムを最適化する企てが従来からなされてきた。例えば、Ｗａｂｂその他による１９９３年６月１日発効の米国特許５，２１６，５０４号は、手作業でもしくは自動化されたコンピュータ制御でもって、ディスプレイを校正するため、または他に最適化するために、ビデオモニター内のデジタル制御のデバイスを述べている。
【０００６】
種々の状況下でよりフレキシブルな操作性または最適な使用を提供するために、いくつかのシステムは、ユーザーで制御される制御機構を統合している。例えば、ブライトネス、コントラストの制御は、ＣＲＴおよびＬＣＤディスプレイデバイスにてしばしば利用される。これらの制御は、ディスプレイ内の基準ピクセルを用いて、デバイス自体からの情報に基づいて行われる。Ｅａｔｏｎその他による１９９２年１０月２０日発効の米国特許５，１５７，５２５は、ＬＣＤ基準エレメントを含むフィードバック構成を用いて、コントラストまたは絶対ブライトネスに対して予め選択された値を保持するための個別の制御により、基準ピクセルを使用することを開示している。そのフィードバック情報は、光検知器を用いてＬＣＤ材料の平均伝達を測定することにより、決定される。Ｈａｎｓｅｎその他による１９９９年６月８日発効の米国特許５，９１０，７９２は、温度に関係したブライトネスの変化のためのフィードバック補償を得るために、抵抗性層を流れる電流と、電流源の電流とを比較している。これらのアプローチに付随する一つの問題は、フィードバックがピクセル自身の放射率に直接に反応しないこと、あるいはディスプレイ内の異なるタイプ(例えばカラー)に関するアドレス問題である。ディスプレイデバイスからの光出力を測定し、そしてデバイスで使用するための校正テーブルを構成する外部センサの使用により、ディスプレイデバイスを校正することも公知である。Ｂｏｈａｎその他による１９９４年１０月６日発効の米国５，３７１，５３７がある。このアプローチは、校正時にはセンサがディスプレイを見づらくし、リアルタイムの動作を提供できないという問題がある。
【０００７】
それゆえ、光放射率のための改善した検出法および放射性ディスプレイのための制御が必要とされていた。
【課題を解決するための手段】
【０００８】
本発明は、光放射ピクセルをアドレスできるソリッドステートのディスプレイデバイスであり、ディスプレイ上に統合され、かつ、ディスプレイの光放射部と直接光学的に結合された光検出器の使用により、従来技術での問題を克服する。その光検出器は、光放射部から放射された光に依存する電流を生成する。所望の光出力を達成するために、その電流は、光放射ピクセルを流れる電流を制御するために、フィードバック機構として用いられる。
【発明の効果】
【０００９】
本発明は、放射ディスプレイデバイスに光フィードバックを与えるために、高度に一体化した小型で軽量な手段を提供する。このフィードバックは、デバイスの寿命を長くし、パワー消費を低減し、そして応用に対して柔軟性を提供する。
【図面の簡単な説明】
【００１０】
【図１】本発明によるフィードバックおよび制御回路を備えたディスプレイデバイスのブロック図である。
【図２】本発明によるディスプレイデバイスの好ましい実施形態の縦断面図である。
【図３】本発明によるディスプレイデバイスの別の実施形態の縦断面図である。
【図４】本発明によるディスプレイデバイスの更に別の実施形態の縦断面図である。
【図５】本発明によるディスプレイデバイスにおける光の放射および吸収を示した図である。
【図６】本発明による別のディスプレイデバイスにおける光の放射および吸収を示した図である。
【図７】本発明によるアナログ修正回路を備えたディスプレイデバイスのブロック図である。
【図８】本発明によるデジタル修正回路を備えたディスプレイデバイスのブロック図である。
【図９】本発明による修正回路の演算を示したフローチャートである。
【図１０】本発明による修正回路の演算を示したアナログ回路のためのブロック図である。
【図１１】公知の放射ＬＥＤの回路図である。
【発明を実施するための形態】
【００１１】
装置は以下のごとく機能する。図１のディスプレイシステム１０は、フィードバック制御デバイス１４を備えたディスプレイ１２およびそのディスプレイを駆動するコントローラ１６を含む。コントローラ１６はアナログデバイスまたは図示されるようにメモリ１８を備えたコンピュータであってもよい。そのコントローラは、データ２２、アドレス２４および制御信号２６を用い、特定のディスプレイエレメントに書き込む。アドレスラインはデマルチプレクサ２８によりデコードされる。ディスプレイ内のフォトセンサにより発生したフィードバック信号３０は、フィードバック回路１４に導かれ、処理され、その処理信号はコントローラに導かれる。ディスプレイ内の光放射ピクセルは、ライン３４を通じてパワーオンされ、図１１のＶddラインに接続される。
【００１２】
図１１は、公知の簡単な放射性ＬＥＤ回路を示し、Ｖddパワーライン１００は、ＬＥＤ１０２に駆動トランジスタ１０４を通じてパワーを供給する。その駆動トランジスタ１０４は、データライン２２およびセレクトライン１１０に応答するトランジスタ１０８により充電されるキャパシティ１０６に蓄えられた電荷に応答する。セレクトライン１１０上の信号は、アドレスライン２４および接続ライン２６上の信号から周知の手法により形成される。
【００１３】
フォトセンサは、図２〜図４のいずれかに示したディスプレイデバイス接近して、光学的に結合された光応答材料を設置することにより達成される。これらの図において、放射性層４４はフォトセンサ層５０と光学的に結合されている。放射性層４４の両側には電極４２、４６を、フォトセンサ層５０の両側には電極４８、５２を有する。これらのエレメントは、基板４０上に堆積され、そしてカバープレート５４でカプセル化される。フォトセンサ層に対する放射性層の物理的な配置は、製造工程、材質の多様性、および回路設計に依存して変更できる。図２において、放射性層は、フォトセンサ材料５０と基板４０との間に図示されている。図３では、フォトセンサ層５０と並んで放射性層４４が位置する。図４では、フォトセンサ材料５０は、放射性層４４と基板４０との間に位置し、この場合、放射性層４４の一部を覆っている。放射性層からの光が見えるように、基板４０もしくはカバー５４の一方が透明体でなくてはならない。同じ理由で、光が透過できるようにいずれかのいずれの電極も透明体でなければならない。透明電極は、インジウム錫酸化物から作製され、これは公知の技術である。透明体でない層４０または５４は、光の使用を最大限とするための反射性である。
【００１４】
光放射性材料は、実際は一つ以上の補助基板から構成され、例えば、正孔転位層および放射性層からなり、これらすべてを単一の層４４として示している。当業者でき周知なように、光放射性材料は、四角の光放射領域にピクセル化され、行および列のピクセルを接続して、個別のピクセルをアドレスするために電極が使用される。図１の信号ライン２２、２４〜２６からの入力信号を用い、ピクセルを選択し、そしてそれに情報を書き込むために種々の電極が使用される。
【００１５】
フォトセンサ材料も同様に複数の層で構成される。電極４８および５２は、図１のフィードバック信号３０を与えるために用いられる。図２において、フォトセンサ材料５０および電極４８および５２を点線で分割したのは、個別にアドレス可能な要素への可能な分割を示したものであることに注目されたし。明白なように、本発明は、一般のピクセル間に、もしくは個別に、フォトセンサ層を有する装置を開示している。
【００１６】
好ましい実施例では、光放射性材料４４は、有機のＬＥＤ材料で作製される。カバープレート５４は、例えば、エナメルでコーティングした金属板、プラスチックまたはガラスである。フォトセンサ材料５０は、半導体材料で作製され、それの堆積および処理は、ディスプレイのエレメント、例えば伝統的なクリスタルシリコン、ポリシリコンまたはアモルファスシリコン材料と両立する。他の両立できるフォトセンサ材料が使用されてもよく、例えば、層５０は、光に応答できるように、電極４８と５２との間に堆積された有機材料から構成されてもよい。採用された製造工程に依存して、フォトセンサ層を最初に形成することが好ましいかもしれない。更には、ガラスのような透明体で電気的に絶縁性の別の層を、図２の電極４６および４８間に、および図４の電極４２および５２間に設けるのが望ましい。これとは、放射性およびフォトセンサの層に供給される信号の特性および極性に依存して、別に２つの隣接した電極の層を結合して一つの層としてもよい。いずれの場合でも、統合された工程がデバイスの組立てを簡略化し、そして完成したデバイスの強度を強める。
【００１７】
能動化されたとき、かつ、図２に対応して、単純化した図５に示すように、放射性材料４４は、電極４２、４６により、能動化される。放射性層４４から放射された光６５０のいくらかは放射され、残りの光はフォトセンサ材料により直接に吸収される。光はまた、基板４０またはディスプレイのカバー５４から反射し、放射性材料４４へ戻され、そして、フォトセンサ材料５０により吸収される。その結果生じた電流は、電極４８および５２を通じて集められる。そのフォトセンサはまた、総合的な内部反射(光線６２のように入射角に依存)を通じて、または、プレート面と放射性層との間の境界からの反射(光線６４のごとく)により、または、プレート面と空気との間の境界からの反射(光線６６のごとく)により、または、他のいずれかの光学的結合機構により、光放射部と光学的に結合されている。電極(図４では不図示)もまた反射のための機構として機能する。
【００１８】
外光７０も放射性層、基板またはカバーを通過して、フォトセンサ材料５０内へ進む。光学的に結合した光と外光は、その後、フォトセンサ材料５０により吸収され、そして、検出された光の明るさに依存した電流を呈する。この電流は、図１のフィードバック信号３０である。図６は、図５に対応する似た構成を示す。いずれの場合でも、光は、基板４０またはカバー５４のいずれが透明体であるかによってそれを通じて放射されることに注目されたい。
【００１９】
ディスプレイデバイス内の各ピクセルは、周知のごとくアドレス信号により、選択される。同様に、各フォトセンサエレメントも同じまたは異なるアドレス信号を用いて選択される。例えば、一般のディスプレイデバイス、メモリデバイス、ＣＣＤのごときイメージングデバイスのすべては同じ技術を用いる。フォトセンサエレメントは(ディスプレイのピクセルエレメントとして)個々に、またはグループで選択されてもよい。フォトセンサエレメントのグループは、より広い領域に対する強い光の測定を行えるように、物理的にまたは論理的に合計され、その結果、情報の明記およびサポート用のロジックおよび相互接続の必要性の双方を減じる。(このことは図２にて点線で示してある。) 特別の場合、フォトセンサエレメントは、一つの大きなエレメントに合算されてもよく、電流は、ディスプレイデバイス全体として光学的に結合された光を表す。
【００２０】
フォトセンサエレメントで検出された電流は、検出された光からのフィードバックとして用いることができる。一般的に言えば、その発生した電流は、所望の明るさ(基準値)で発生した既知の電流値と比較される。ディスプレイ材料を駆動する電流は、その後、フォトセンサ層からの電流が所望値になるまで、大きくなるか小さくなる。そのことが起きると、光照射により発生した光は、所望のレベルにある。光の照射は時間と共に低下するので、効率が低下し、より少ない光を放射し、その結果、光電電流が減少し、減じた光出力を補償するために、駆動電流が増大するようになる。
【００２１】
デジタルイメージディスプレイデバイスは、種々のレベルまたは明るさ、典型的に２５６または１０２４レベル(通常のバイナリーデジタルコンピュータシステムにおける８ビットまたは１０ビット)で光を放射する。各レベルは、対応する明るさを生じるために必要となる特定のパワー合計に関連し、関連するレベルは、各ディスプレイレベルに対して発生され、そのため、各明るさのレベルに対し、所望の光出力を極めて正確に制御する。これらの関連は、個々の放射タイプのディスプレイ材料に対する明るさ/パワーのカーブにおけるいかなる不規則性に対しても補償する。基準値し、種々のソース、から、放射特性の形式から、典礼的なディスプレイでの測定値から、または、過去の同種のディスプレイから得ることができる。
【００２２】
異なるディスプレイ材料が異なるカラーの光を生成するために用いられ、そして、これらの異なる材料は異なる効率および経時特性を持つ。各明るさのレベルが個々の基準を持つとき、各カラーは同様に校正できる。単一のフィードバックフォトセンサエレメントの場合、一度にただ一つの色を単にエネルギー化することにより、各カラーに対し、適した基準値を測定できる。もしデジタル的に行われたなら、カラーおよび明るさの校正は、(３色の８ビットシステムに対して)３入力の参照テーブルによる２５６を用いて実行され、これは極めて一般的な技術である。もし、フォトセンサエレメントがサブグループのピクセルと関連していたなら、フィードバック修正機構(例えば参照テーブル)は、そのサブグループと関係しなくてはならない。
【００２３】
フィードバック制御を与えるために少なくとも好ましい２つの機構がある。図７に示した第１の機構では、ディスプレイからのフィードバック電流３０は、フィードバック信号１４により、単一のフィードバック信号３２に集約される。この信号は次にコントローラ１６により、ディスプレイの所望の明るさの出力を表す標準信号と比較される。Ｖdd電圧信号３４は、所望の明るさになるように、大きくするか小さくされ、フィードバック信号がキャンセルされる。この場合、その信号３４は、コントロールデバイス１６により、管理され、電圧コントローラ８０のようなアナログ回路で制御される。単純化した場合、同様に、比較は演算増幅器８２により行われ、典型的なデバイスの最適な動作電圧を示す固定された値か、他の基準により選択された他のいくつかの値に設定される。
【００２４】
フィードバック信号は異なる方法で集約できる。単純化した例において、放射できるグレイ階調レベルに対するディスプレイの明るさを示す各ブライトネス値に対して単一の信号が生成される。もし、このブライトネスがディスプレイの期待されたブライトネスに適合するなら、変更は行われない。もし、経時材料や他の理由により、ディスプレイが適した量の光を放射しないなら、ディスプレイがより多くの光を発するようにデータ値が変更される。図８を参照すると、この変更は、参照テーブル８４を用い、極めて公知な技術によりって達成される。
【００２５】
補償用信号は、ピクセルエレメントに相当すべきであり、そのフィードバックがエレメントを示す。もし、ただ一つの信号がデバイス全体の出力を示すなら、全てのデータ値が固定値により調節され得る。もし、各ブライトネスレベルに対する個別のフィードバック値が得られるなら、各ブライトネスレベルに対応するデータ値が調節され得る。もし、各カラーに対しフィードバック値が個別に得られたならば、各カラーは固定された量で調整できる。これらの種々のデータ値は、得られたフィードバックに依存して様々な方法で結合できる。更に、フィードバック値は、ブライトネスレベルのみよりは、ディスプレイ内のそれらのアドレスに依存するピクセル毎に得ることができる。各ピクセルは、そのため、出力を特注化した個別のテーブルを持つことができる。しかしながら、これらのテーブルのサイズが急速に肥大することに注意すべきである。もし参照テーブルが所望でないなら、修正を演算するために所望の特性をモデル化した数式を用いることも可能である。このアプローチは、必要メモリを低減するが、速度性能の上で影響に害を及ぼす。これらの参照テーブルおよび数式の方法は、当業者で十分に公知であり、多くのコンピュータ制御のシステムで標準の部分である。一般に、フィードバック修正は、連続的にまたは周期的に行われ、また、デバイスの使用時に、またはブート時にまたはセットアップに時になされる。唯一要求されることは、フィードバックの測定は、デバイスが既知のブライトネス値で表示している時に行わなければならないことである。
【００２６】
この発明は、電流制御の使用により、ディスプレイ材料を制御を不必要にし、替わりに、電圧制御により、ディスプレイを駆動でき、これにより、ディスプレイ材料の効率による変化を補償するだけでなく、制御電子回路を簡素化することに注目される。
【００２７】
フォトセンサ材料は、ディスプレイから、および外光への両方の光結合に曝すことが重要である。外光とディスプレイ光とを適切に区別するための最も単純な機構は、最初に外光電流を測定する。これは、単に光放射ピクセルへ電流０を適用してピクセルに光を発光させないことによりなされる。いずれかの残りの光／電の電流は、周囲への放射によるものであり、あらゆる基準の比較は、この残電流に対して調節しなければならない。この基準調節は、ディスプレイのスイッチオン時にまたは使用中に周期的に行う。
【００２８】
この基準調整は、周囲環境の変化に対して自動的に補償するためにも使用され得る。暗い環境下(外光の放射無し)で見るときは、より明るい環境下(より多くの外光放射)で見るときと同じ明るさを必要としない。もし、ディスプレイデバイスの光出力が周期的に再校正されるなら、たとえ外光の変化があるとき、外光とディスプレイ光との間の固定された差異を維持する。暗い環境下では不必要なブライトネスを減じ、明るい環境下では、ディスプレイデバイスの表示を明るくすることにより、ディスプレイデバイスの寿命を長くする。もし、ピクセルのアドレスに基づきブライトネスの補償が行われたなら、ディスプレイの異なった個所を異なる方法で修正することも可能であり、例えば、ディスプレイに対し部分的に影をつけることもできる。
【００２９】
図９は、各ブライトネスレベルに対して参照テーブルを計算するための簡単な手順を示す。デバイスは、最初にステップ１２０にてターンオンされ、そしてステップ１２２にてディスプレイをブランク(ブラック)のイメージまたはスクリーンにセットする。ステップ１２４にてフィードバック電流が測定され、外光を示す。ディスプレイは、ステップ１２６にて放射できる各ブライトネスの出力レベルを繰返し、そしてステップ１２８にて各レベルに対してフィードバック電流(現実の電流)が測定される。そのフィードバック電流は、外光と与えられたブライトネスで放射された光との合計を表す。修正電流を得るために、ステップ１３０にて、所望の光レベルに外光電流を加えたものに相当する所望の(基準)電流から、実際の電流が差し引かれる。ステップ１３２にて、この修正電流は、基準電流に加算され、そしてその合計が対応するブライトネスレベルに変換され、そしてステップ１３４にて、測定した元のブライトネスに対するテーブルに格納される。ステップ１３６にてディスプレイは修正されたブライトネスレベルを用いて動作する。
【００３０】
もし、外光がゼロで実際に基準値と等しいなら、テーブル値は、基準値に等しく、つまり、テーブル値は、理想的な値であり、修正はされない(テーブル入力とテーブル出力が等しい)。次の数式は、関数Ｆが電流測測定値から対応するブライトネスレベルｉへの変換を示す計算を述べている。
Ｔi＝Ｆ(基準電流ｉ＋(基準電流ｉ＋外光電流−実際の電流ｉ))
この計算は、コントローラ１６およびその要素１８および２０を用いてなされる。
【００３１】
電圧コントローラが用いられ、そして単一のフィードバック値が用いられる場合、全体の修正計算は、アナログの要素(例えば図７のような演算増幅器および電圧コントローラ)を用いて実行できる。図１０は、これの詳細を示す。実際の値３２は、理想的な基準値９０および周囲値９２の合計から減算され、そして電圧コントローラがセットされる名目上の電圧への修正電圧として用いられる。これらのアナログの演算技術およびデバイスは、当業者では周知である。周囲の明るさに対する補償が望まれるなら、その値は最初に、上述したコントローラ１６を用いて修正され、そして格納されなくてはならない。デジタルまたはアナログの修正を用いて、修正値へ連続的な調整を与えることにより、演算をも反復して行うことができる。この場合、実際の測定は、現存の修正値および、演算され、適用された修正値への差異を用いてなされる。
【００３２】
ディスプレイエレメント下のフォトセンサを、一部のピクセルに制限することも可能である。これにより、フィードバックをサポートするために必要となる論理的な内部構成を減じるが、ディスプレイの一部に対する修正が他の部分に同様に適用することを仮定する。
【００３３】
フィードバック回路は、ディスプレイデバイスと同じ基板上に直接に一体化でき、あるいは、ディスプレイの外部で行うことができる。一般に、性能が高いほど、かつ、正確さが大きいほど、回路は直接にディスプレイデバイスに一体化され得るが、すべてのディスプレイデバイスに対して好ましいものではない。(例えば、ピクセルの技術および製造工程が回路とロジックとの統合を禁止している。) 本発明は、アクティブおよびパッシィブなマトリックスディスプレイデバイスの双方に適用できる。
【００３４】
Tangその他による１９９８年９月６日発効のＵＳ.特許４，７６９，２９２およびＶａｎＳｌｙｋｅその他による１９９１年１０月２９日発効のUS.特許５，０６１，５６９に開示されているがこれに限定されない、小さい分子状重合体ＯＬＥＤを含む有機光放射ダイオード(ＯＬＥＤ)は、適したディスプレイデバイスを作製できる技術的基礎を提供する。ＯＬＥＤ材料の多くの結合および変更もこのようなデバイスを組立てるために使用できることは明白である。
【符号の説明】
【００３５】
１０    ディスプレイシステム
１２    ディスプレイ
１４    フィードバック制御デバイス
１６    コントローラ
１８    メモリ
２０    ＣＰＵ
２２    データ信号
２４    アドレス信号
２６    制御信号
２８    デマルチプレクサ
３０    フィードバック信号
４０    基板
４２    電極
４４    光放射層
４６    電極
５０    フォトセンサ層
８４    参照テーブル
１０２    ＬＥＤ
１０６    格納キャパシタ
【図１】
0005525012.tif 000002
【図２】
0005525012.tif 000003
【図３】
0005525012.tif 000004
【図４】
0005525012.tif 000005
【図５】
0005525012.tif 000006
【図６】
0005525012.tif 000007
【図７】
0005525012.tif 000008
【図８】
0005525012.tif 000009
【図９】
0005525012.tif 000010
【図１０】
0005525012.tif 000011
【図１１】
0005525012.tif 000012